(57)【要約】【課題】画像投射装置の投射領域が変動する場合においても選択した位置の変動を抑えて、投射領域の変動後においても操作者が選択した位置を見失うことがないようにする。【解決手段】画像投射装置において、映像信号に基づいて生成される投射画像に所定の重畳画像（メニュー画面）を重畳して投射する重畳画像投射手段と、映像信号に基づいて、投射画像の投射領域の変動を検出する信号制御手段と、を備え、重畳画像投射手段は、信号制御手段が、投射画像の投射領域の変動を検出した際に、該投射領域の変動に合わせて重畳画像の投射位置を変動させるとともに、該変動に際し、変動前の重畳画像において選択され、他の部分とは異なる表示形態で表示された部分（ｔ）の表示位置を、該重畳画像の投射位置の変動量に基づいて調整した重畳画像を生成し、該重畳画像を変動後の重畳画像として投射する。【選択図】図９
2015019195.tif 000002
【特許請求の範囲】
【請求項１】
映像信号に基づいて投射画像を生成し、該投射画像を被投射面に投射する画像投射装置において、
映像信号に基づいて生成される前記投射画像に所定の重畳画像を重畳して投射する重畳画像投射手段と、
映像信号に基づいて、前記投射画像の投射領域の変動を検出する信号制御手段と、を備え、
前記重畳画像投射手段は、
前記信号制御手段が、前記投射画像の投射領域の変動を検出した際に、該投射領域の変動に合わせて前記重畳画像の投射位置を変動させるとともに、
該変動に際し、変動前の重畳画像において選択され、他の部分とは異なる表示形態で表示された部分の表示位置を、該重畳画像の投射位置の変動量に基づいて調整した重畳画像を生成し、該重畳画像を変動後の重畳画像として投射することを特徴とする画像投射装置。
【請求項２】
前記重畳画像は、複数の選択肢を含む画像であって、
前記重畳画像投射手段は、
前記変動前の重畳画像において選択された選択肢の前記変動後の重畳画像における表示位置を、
前記変動前の重畳画像における選択肢の表示位置からの移動量が最も小さくなる位置にある選択肢の位置とすることを特徴とする請求項１に記載の画像投射装置。
【請求項３】
前記重畳画像は、複数の選択肢を含む画像であって、
前記重畳画像投射手段は、
前記変動前の重畳画像において選択された選択肢の前記変動後の重畳画像における表示位置を、
前記複数の選択肢の行または列単位で調整して、
前記変動前の重畳画像における選択肢の表示位置からの移動量が最も小さくなる位置にある選択肢の行または列の位置とすることを特徴とする請求項１に記載の画像投射装置。
【請求項４】
前記重畳画像投射手段は、変動前後における重畳画像の座標位置の差分値に基づいて前記移動量を算出することを特徴とする請求項２または３に記載の画像投射装置。
【請求項５】
前記重畳画像投射手段は、前記変動後の重畳画像における前記複数の選択肢の表示位置について、前記変動前の重畳画像における前記複数の選択肢の表示順序を維持しつつ変更することを特徴とする請求項２から４までのいずれかに記載の画像投射装置。
【請求項６】
前記信号制御手段は、投射画像についての解像度の変更、アスペクト比の変更、ズーム処理のいずれかがあった場合に、前記投射画像の投射領域の変動を検出することを特徴とする請求項１から５までのいずれかに記載の画像投射装置。
【請求項７】
映像信号に基づいて投射画像を生成し、該投射画像を被投射面に投射する画像投射装置の制御方法において、
映像信号に基づいて、前記投射画像の投射領域の変動を検出する信号制御処理と、
映像信号に基づいて生成される前記投射画像に所定の重畳画像を重畳して投射する重畳画像投射処理と、を行い、
前記重畳画像投射処理では、
前記信号制御処理において、前記投射画像の投射領域の変動を検出した際に、該投射領域の変動に合わせて前記重畳画像の投射位置を変動させるとともに、
該変動に際し、変動前の重畳画像において選択され、他の部分とは異なる表示形態で表示された部分の表示位置を、該重畳画像の投射位置の変動量に基づいて調整した重畳画像を生成し、該重畳画像を変動後の重畳画像として投射するようにしたことを特徴とする画像投射装置の制御方法。
【請求項８】
映像信号に基づいて投射画像を生成し、該投射画像を被投射面に投射する画像投射装置の制御プログラムにおいて、
映像信号に基づいて、前記投射画像の投射領域の変動を検出する信号制御処理と、
映像信号に基づいて生成される前記投射画像に所定の重畳画像を重畳して投射する重畳画像投射処理と、を画像投射装置に実行させ、
前記重畳画像投射処理は、
前記信号制御処理において、前記投射画像の投射領域の変動を検出した際に、該投射領域の変動に合わせて前記重畳画像の投射位置を変動させるとともに、
該変動に際し、変動前の重畳画像において選択され、他の部分とは異なる表示形態で表示された部分の表示位置を、該重畳画像の投射位置の変動量に基づいて調整した重畳画像を生成し、該重畳画像を変動後の重畳画像として投射するものであることを特徴とする画像投射装置の制御プログラム。
【発明の詳細な説明】
【技術分野】
【０００１】
本発明は、画像投射装置、画像投射装置の制御方法、および画像投射装置の制御プログラムに関する。さらに詳述すると、画像投射装置のオンスクリーンディスプレイ機能に関する。
【背景技術】
【０００２】
画像投射装置として広く知られたプロジェクタは、近来、液晶パネルの高解像化、光源ランプの高効率化に伴う明るさの改善、低価格化などが進んでいる。例えば、ＤＭＤ（Digital  Micro-mirror  Device）を利用した小型軽量な画像投射装置が普及し、オフィスや学校のみならず家庭においても広くこれら画像投射装置が利用されるようになってきている。特に、フロントタイプのプロジェクタは携帯性が向上し、数人規模の小会議にも使われるようになってきている。
【０００３】
プロジェクタは、一般に接続された情報処理装置（パーソナルコンピュータ）等から入力されてスクリーンに投射（投影）する投射画像（投影画像）とは別途、画像投射装置に対する種々の操作、設定を要求可能なメニュー画面等をスクリーンに投射するオンスクリーンディスプレイ（On  Screen  Display、以下、ＯＳＤという）機能を備えている。
【０００４】
ＯＳＤ機能で表示されるメニュー画面では、設定言語、表示モード、画像調整、電源設定等の各種の設定が可能となっており、ユーザが所望する操作を要求することができる。また、ダイアログ画面、エラー表示画面等もＯＳＤ機能で表示される。以下、ＯＳＤ機能により投射されるメニュー画面、ダイアログ画面、エラー画面等をＯＳＤ画面とも呼ぶ。
【０００５】
ＯＳＤ機能で表示されるＯＳＤ画面の投射領域は、情報処理装置等から入力されてスクリーンに投射される投射画像において、所定の位置（例えば、左上）に表示されることが通常である。また、ＯＳＤ画面が投射画像のどの位置に表示されるかを設定可能とした画像投射装置も知られている。
【０００６】
また、例えば、図１０（Ａ）に示すように、投射画像の解像度が１０２４×７６８の状態で、ＯＳＤ画面（メニュー画面）が左上側に表示されていて、この状態から入力信号の解像度が８００×６００に変更されたとする。このように入力信号の解像度が変更され、投射画像の画像投射領域が変更した際に、図１０（Ｂ）に示すように、ＯＳＤ画面の表示領域も併せて変更する画像投射装置が知られている。このＯＳＤ画面の表示領域の変更制御は、他に、アスペクト設定の変更など投射画像の座標が変更する際に実行される。
【０００７】
例えば、特許文献１には、入力画像について台形歪補正がされた場合に、メニュー画面が補正後の画像内となるように、メニュー画面の画像位置を変更する投影型画像表示装置が開示されている。
【０００８】
また、図１１（Ａ）に示すように、ＯＳＤ機能によりメニュー画面が表示されており、メニュー画面の所定の選択肢（選択肢ｔ）が選択されている際は、選択されている箇所はハイライト表示、反転表示などのように他の選択されていない部分との違いが分かるように表示されることが一般的である。このような状態から、図１１（Ｂ）に示すように、入力信号の解像度変更等により画像投射領域が変更され、メニュー画面の表示位置も変更されると、これに連れて選択されている選択肢（選択肢ｔ）の位置も、図中の矢印で示す分、移動することとなる。
【発明の概要】
【発明が解決しようとする課題】
【０００９】
図１１（Ａ），（Ｂ）に示したように、メニュー画面の操作者にとって、選択した位置の移動量が多いと注目していた位置から急に位置が変動してしまうこととなるため、変動後の選択肢の位置を即座に判別することができず操作者が戸惑うこととなり、使い勝手が良くないという問題があった。
【００１０】
特に、画像投射装置に対しリモコンを用いてメニュー画面で選択肢を選択している操作者とは別の操作者が、画像投射装置の本体側で入力信号の解像度変更指示等をした場合、メニュー画面で選択肢を選択している操作者は、選択位置を見失う場合もあり、使い勝手が良くないという問題があった。
【００１１】
上記特許文献１の技術では、メニュー画面が変更後の投射領域からはみださないようにしているが、メニュー画面の選択位置の変動に対する上記の問題点およびその解決方法については開示されていない。
【００１２】
そこで本発明は、メニュー画面などのＯＳＤ画面において、選択した位置についてハイライト表示等がされている場合において、画像投射装置の投射領域が変動する場合においても選択した位置の変動を抑えて、投射領域の変動後においても操作者が選択した位置を見失うことなく判別することができる画像投射装置を提供することを目的とする。
【課題を解決するための手段】
【００１３】
かかる目的を達成するため、本発明に係る画像投射装置は、映像信号に基づいて投射画像を生成し、該投射画像を被投射面に投射する画像投射装置において、映像信号に基づいて生成される前記投射画像に所定の重畳画像を重畳して投射する重畳画像投射手段と、映像信号に基づいて、前記投射画像の投射領域の変動を検出する信号制御手段と、を備え、前記重畳画像投射手段は、前記信号制御手段が、前記投射画像の投射領域の変動を検出した際に、該投射領域の変動に合わせて前記重畳画像の投射位置を変動させるとともに、該変動に際し、変動前の重畳画像において選択され、他の部分とは異なる表示形態で表示された部分の表示位置を、該重畳画像の投射位置の変動量に基づいて調整した重畳画像を生成し、該重畳画像を変動後の重畳画像として投射するものである。
【発明の効果】
【００１４】
本発明によれば、画像投射装置の投射領域が変動する場合においても選択した位置の変動を抑えて、投射領域の変動後においても操作者が選択した位置を見失うことなく判別することができる。
【図面の簡単な説明】
【００１５】
【図１】画像投射システムの一例を示す概略構成図である。
【図２】画像投射装置の構成を示すブロック図である。
【図３】画像投射装置のメインボードの構成を示すブロック図である。
【図４】画像投射装置が実行する処理のシーケンス図である。
【図５】画像投射装置が実行する処理のフローチャートである。
【図６】画像領域変更前の部品情報テーブルである。
【図７】画像領域変更後の部品情報テーブルである。
【図８】画像領域変更後における座標調整処理後の部品情報テーブルである。
【図９】（Ａ）画像領域変更前におけるメニュー画面において選択肢ｔが選択されている様子を示す説明図、（Ｂ）画像領域変更後におけるメニュー画面において選択された選択肢ｔの座標調整処理がされた様子を示す説明図である。
【図１０】（Ａ）画像領域変更前におけるメニュー画面の表示例を示す説明図、（Ｂ）画像領域変更後におけるメニュー画面の表示例を示す説明図である。
【図１１】（Ａ）画像領域変更前におけるメニュー画面において選択肢ｔが選択されている様子を示す説明図、（Ｂ）画像領域変更後におけるメニュー画面において選択された選択肢ｔの表示位置が変動する様子を示す説明図である。
【発明を実施するための形態】
【００１６】
以下、本発明に係る構成を図１から図９に示す実施の形態に基づいて詳細に説明する。
【００１７】
本実施形態に係る画像投射装置は、映像信号に基づいて投射画像を生成し、該投射画像を被投射面に投射する画像投射装置（画像投射装置１１０）において、映像信号に基づいて生成される投射画像に所定の重畳画像（ＯＳＤ画面）を重畳して投射する重畳画像投射手段（ＯＳＤ作成部３０１、メイン制御部３００、投影部３０３）と、映像信号に基づいて、投射画像の投射領域の変動を検出する信号制御手段（信号制御部３０４）と、を備え、重畳画像投射手段は、信号制御手段が、投射画像の投射領域の変動（解像度の変更など）を検出した際に、該投射領域の変動に合わせて重畳画像の投射位置を変動させるとともに、該変動に際し、変動前の重畳画像において選択され、他の部分とは異なる表示形態で表示された部分の表示位置を、該重畳画像の投射位置の変動量に基づいて調整した重畳画像を生成し、該重畳画像を変動後の重畳画像として投射するものである。なお、括弧内は実施形態での符号、適用例を示す。
【００１８】
（画像投射システムの構成）
図１は、画像投射システム１００の一例を示す概略構成図である。画像投射システム１００は、画像投射装置１１０と、映像供給装置１２０とを含んで構成されており、画像投射装置１１０および映像供給装置１２０は、ケーブル１３０によって接続される。
【００１９】
画像投射装置１１０は、映像供給装置１２０が提供する画像をスクリーン等の被投射面に投射する画像出力装置である。画像投射装置１１０は、映像供給装置１２０が提供する画像と共に、ユーザが種々の操作を指定可能なメニュー画面等のＯＳＤ画面（重畳画像）を投射する。なお、ＯＳＤ画面は、映像供給装置１２０から画像が提供されない際にも投射可能である。また、画像投射装置１１０は、遠隔操作装置（リモコン）１４０からの操作要求を受信し、画像投射装置１１０が有する機能を実現する種々の操作を実行する。
【００２０】
画像投射装置１１０は、映像信号を入力するインタフェースとして、Ｄ−Ｓｕｂコネクタ等のＶＧＡ（Video  Graphics  Array）入力端子やＨＤＭＩ（High-Definition  Multimedia  Interface）（登録商標）端子、Ｓ−ＶＩＤＥＯ端子、ＲＣＡ端子等のビデオ入力端子を備えており、これらの端子に接続されたケーブル１３０を介して映像供給装置１２０から映像信号を受信する。
【００２１】
また、画像投射装置１１０は、Ｂｌｕｅｔｏｏｔｈ（登録商標）やＷｉＦｉ（登録商標）等の無線通信プロトコルに準拠した無線通信により、映像供給装置１２０から映像信号を受信してもよい。
【００２２】
映像供給装置１２０は、画像投射装置１１０が投射すべき画像を提供する装置である。映像供給装置１２０は、映像信号を出力するインタフェースを備えており、映像供給装置１２０の表示画像を形成する映像信号を所定の転送レート（例えば、３０ｆｐｓ（frame  per  second）〜６０ｆｐｓ）で画像投射装置１１０に送信する。
【００２３】
映像供給装置１２０も同様に、映像信号を出力するインタフェースとしてＶＧＡ出力端子やＨＤＭＩ端子、Ｓ−ＶＩＤＥＯ端子、ＲＣＡ端子等のビデオ出力端子を備えており、これらの端子に接続されたケーブル１３０を介して画像投射装置１１０に送信することができる。
【００２４】
また、映像供給装置１２０は、無線通信により、画像投射装置１１０に映像信号を送信してもよい。
【００２５】
映像供給装置１２０としては、例えば、ノート型ＰＣ（情報処理装置）を用いることができるが、デスクトップ型ＰＣやタブレット型ＰＣ、ＰＤＡ等の映像信号を供給可能な情報処理装置を採用することができる。また、図１に示す例では、画像投射装置１１０に１の映像供給装置１２０が接続されているが、画像投射装置１１０は、２以上の映像供給装置を接続することができる。
【００２６】
（画像投射装置の構成）
図２は、本実施形態に係る画像投射装置１１０の構成を示すブロック図である。画像投射装置１１０は、メインボード２００と、ネットワークボード（拡張ボード）２１０と、光学部２２０と、ランプ（光源）２２１と、電源２２８と、映像信号入力インタフェース２３０とを含んで構成される。
【００２７】
メインボード２００は、画像投射装置１１０の全体制御を行うプリント基板である。メインボード２００は、システム制御部２０１と、映像信号処理部２０２と、電源制御部２０３と、記憶部２０４と、光学制御部２０５とを含んでおり、これらの機能部を実現するＡＳＩＣ（Application  Specific  Integrated  Circuit）等の集積回路によって構成することができる。
【００２８】
システム制御部２０１は、画像投射装置１１０の全体制御を行う。システム制御部２０１は、映像信号処理部２０２、電源制御部２０３、記憶部２０４および光学制御部２０５とバスによって接続されており、これらの各機能部を制御する。
【００２９】
映像信号処理部２０２は、映像供給装置１２０が供給する映像信号を処理する。映像信号処理部２０２は、映像信号入力インタフェース２３０を介して映像信号を受信し、当該映像信号にシリアル−パラレル変換や電圧レベル変換などの種々の処理を施す。
【００３０】
電源制御部２０３は、画像投射装置１１０に電力を供給する電源２２８を制御する。電源制御部２０３は、システム制御部２０１の制御の下、電源２２８のＯＮ／ＯＦＦを行う。
【００３１】
記憶部２０４は、システム制御部２０１が処理する種々のデータを保存する不揮発性メモリである。記憶部２０４として、ＥＰＲＯＭやＥＥＰＲＯＭ、フラッシュメモリ等の種々の不揮発性半導体メモリを採用することができる。
【００３２】
光学制御部２０５は、映像を形成する光学部２２０を制御する。光学制御部２０５は、システム制御部２０１が生成する画像データを光学部２２０に供給し、当該画像データの映像を形成する。光学部２２０は、当該画像データの映像を形成し、ランプ２２１が生成する光が光学部２２０に照射されることにより、被投射面に当該画像データを投射する。画像投射装置１１０が液晶プロジェクタである場合には、光学部２２０として液晶を採用することができる。また、画像投射装置１１０がＤＬＰ（Digital  Light  Processing）（登録商標）プロジェクタである場合には、光学部２２０としてＤＭＤやカラーホイールを採用することができる。
【００３３】
ランプ制御部（光源制御部）２２２は、ランプ２２１を制御するものであり、システム制御部２０１の制御下でランプ２２１の光量を調整する。ランプ２２１としては、高圧水銀ランプ等が使用できる。
【００３４】
ネットワークボード２１０は、ネットワーク通信や外部の記憶装置を制御するプリント基板である。ネットワークボード２１０は、ネットワークシステム制御部２１１と、ネットワークインタフェース２１２と、記憶装置インタフェース２１３と、記憶部２１４とを含んでおり、当該機能を実現するＡＳＩＣ等の集積回路によって構成することができる。
【００３５】
ネットワークシステム制御部２１１は、ネットワーク２３１を介した通信や記憶装置２３２を制御する。ネットワークシステム制御部２１１は、ネットワークインタフェース２１２、記憶装置インタフェース２１３および記憶部２１４とバスによって接続されている。
【００３６】
ネットワークインタフェース２１２は、ネットワーク２３１を介してデータを通信する。ネットワークインタフェース２１２は、ネットワーク２３１から受信したデータをネットワークシステム制御部２１１に供給すると共に、ネットワークシステム制御部２１１から受信したデータをネットワーク２３１に送信する。ネットワークインタフェース２１２は、ＬＡＮケーブル等のネットワークケーブルを接続可能なポートを含んでおり、ネットワークケーブルを介した有線通信を行う。また、ネットワークインタフェース２１２は、Ｂｌｕｅｔｏｏｔｈ（登録商標）やＷｉＦｉ（登録商標）等の無線通信機能を備えており、無線通信によってデータ通信を行う。
【００３７】
記憶装置インタフェース２１３は、ＵＳＢメモリ等の可搬型の記憶装置２３２を接続するインタフェースである。記憶装置インタフェース２１３は、記憶装置２３２から静止画や動画などの画像データを取得し、ネットワークシステム制御部２１１に供給する。
【００３８】
記憶部２１４は、ネットワークシステム制御部２１１が処理する種々のデータを保存する不揮発性メモリである。本実施形態では、記憶部２１４としてＥＰＲＯＭやＥＥＰＲＯＭ、フラッシュメモリ等の種々の不揮発性半導体メモリを採用することができる。
【００３９】
また、画像投射装置１１０は、温度センサ２２３と、加速度センサ２２４と、表示装置２２５と、操作部（本体キー）２２６と、受信部２２７と、冷却装置２２９とを含み、これらの機能部は、システム制御部２０１とバスによって接続される。
【００４０】
温度センサ２２３は、画像投射装置１１０内の温度を検知する。温度センサ２２３は、検知した温度をシステム制御部２０１に通知する。
【００４１】
加速度センサ２２４は、画像投射装置１１０の加速度を検知する。加速度センサ２２４は、検知した加速度をシステム制御部２０１に通知する。
【００４２】
表示装置２２５は、ユーザに種々の情報を通知する表示手段であり、ＬＥＤインジケータや液晶パネルで構成される。表示装置２２５は、システム制御部２０１から受信した表示すべき情報をＬＥＤインジケータや液晶パネルに表示する。
【００４３】
操作部２２６は、ユーザからの種々の操作要求を受け付けるものであり、画像投射装置１１０の外面に設けられるキーボタン（本体キー）等によって構成される。操作要求には、投射している映像のアスペクト比の変更要求、画像投射装置１１０の電源ＯＦＦ要求、光源の光量を変更するランプパワー変更要求、複数の映像供給装置が接続されている場合に表示画像を投射すべき映像供給装置を切り替える入力切替要求、投射している映像の画質（高輝度や標準、ナチュラル等）を変更する映像モード変更要求、投射すべき映像を停止するフリーズ要求、投射すべき画像を取得するポートの種類である入力種別の切替要求、メインメニュー画面またはサブメニュー画面の表示要求、アスペクト比の変更要求、サブメニュー画面を閉じる要求などが含まれる。操作部２２６は、操作要求を受け付けると、当該操作要求をシステム制御部２０１に通知する。
【００４４】
受信部２２７は、遠隔操作装置（リモコン）１４０からの操作信号を受信する。受信部２２７は、操作信号を受信すると、当該操作信号をシステム制御部２０１に通知する。
【００４５】
冷却装置２２９は、画像投射装置１１０を冷却するものであり、冷却ファン等によって構成される。冷却装置２２９は、システム制御部２０１の制御下で駆動し、画像投射装置１１０を冷却する。
【００４６】
（システム制御部）
図３は、画像投射装置１１０が備えるメインボード２００の詳細な構成を示すブロック図である。
【００４７】
システム制御部２０１は、メイン制御部３００と、ＯＳＤ作成部３０１と、本体キー・リモコン制御部３０２と、投影部３０３と、信号制御部３０４とを含んで構成される。
【００４８】
メイン制御部３００は、システム制御部２０１の全体制御を行う。メイン制御部３００は、システム制御部２０１や上記各部を制御する。
【００４９】
ＯＳＤ作成部３０１は、メインボード２００が生成するメニュー画面やダイアログ、メッセージウィンドウ、アイコン、ヘルプなどのＯＳＤ画面を作成する。ＯＳＤ作成部３０１は、記憶部２０４からメインメニュー画面に表示される設定情報であるメニュー設定情報を読み出し、当該メニュー設定情報を反映したメインメニュー画面を作成する。ＯＳＤ作成部３０１は、当該メインメニュー画面を形成する映像信号を投影部３０３に送信する。
【００５０】
本体キー・リモコン制御部３０２は、操作部２２６や遠隔操作装置１４０から種々の操作要求を受け付け、各操作要求に対応する操作要求を通知する。
【００５１】
投影部３０３は、光学制御部２０５を制御して画像データを投射する。投影部３０３は、映像供給装置１２０から受信する画像を形成する映像信号、ＯＳＤ作成部３０１から取得するメニュー画面等を形成する映像信号、ネットワークボード２１０から取得するサブメニュー画面を形成する映像信号を光学制御部２０５に送信し、これらの画像データを投射させる。
【００５２】
上記メイン制御部３００、ＯＳＤ作成部３０１および投影部３０３は、映像信号に基づいて生成される投射画像にＯＳＤ画面（重畳画面）を重畳して投射する重畳画像投射手段として機能する。
【００５３】
なお、画像投射装置１１０がネットワークボード２１０を備える際には、メインボード２００とネットワークボード２１０との間のデータ通信を行うネットワークボードインタフェースを備える。ネットワークボードインタフェースは、サブメニュー画面の表示要求やサブメニュー画面を閉じる要求をネットワークボード２１０に送信すると共に、これらの応答信号やサブメニュー画面を形成する映像信号をネットワークボード２１０から受信する。
【００５４】
また、信号制御手段としての信号制御部３０４は、入力された映像信号を判定する。すなわち、映像信号が画像領域（投射領域）を変更したものを含んでいる場合には、変更後の映像信号に対応した画像領域を決定するものである。なお、画像領域を変更とは、投射画像の座標が変動する処理をいい、解像度の変更の他に、入力種別の切り替え、台形補正、アスペクト変更、ズーム縮小／拡大処理などがある。
【００５５】
（画像投射装置の制御）
図４は、画像投射装置１１０が実行する処理のシーケンス図である。
【００５６】
［ＯＳＤ画面表示］
映像供給装置（ＰＣ）１２０の映像が投射されてからＯＳＤ画面（メニュー画面を例とする）の表示までについて説明する。先ず、ユーザは、遠隔操作装置１４０や操作部２２６のメニューボタンを押下してメニューを表示する操作を行う（Ｓ１０１：メニュー表示操作）。
【００５７】
これを受けた受信部２２７は、操作内容を本体キー・リモコン制御部３０２に送り（Ｓ１０２：メニュー表示指示）、また、本体キー・リモコン制御部３０２は、メニュー表示指示をメイン制御部３００に送る（Ｓ１０３：メニュー表示指示）。
【００５８】
メイン制御部３００は、ＯＳＤ作成部３０１に、所定のメニュー設定でのメニュー表示を指示する（Ｓ１０４：メニュー表示指示）。
【００５９】
ＯＳＤ作成部３０１は、記憶部２０４からメニュー設定を読み出し（Ｓ１０５：メニュー設定読出）、メニュー画像を作成する（Ｓ１０６：メニュー画像作成）。
【００６０】
ＯＳＤ作成部３０１は、メイン制御部３００から投影される画像領域を取得し（Ｓ１０７：投影領域取得）、画像領域の座標からＯＳＤ画面の各部品（選択肢、アイコンなど）の座標を計算する（Ｓ１０８：ＯＳＤ座標計算）。
【００６１】
Ｓ１０８のＯＳＤ座標計算について説明する。ＯＳＤ画面の各部品は画像領域が（ｘ：０，ｙ：０）から始まる場合（例えば、解像度１０２４×７６８の場合）の座標位置（始点）を自らの座標位置として保持している。例えば、ある部品Ａについての座標位置を（ｘ：５０，ｙ：５０）として保持している。また、各部品の大きさは予め設定されている。
【００６２】
したがって、画像領域が（ｘ：０，ｙ：０）より大きい値から始まる場合、例えば、画像領域が（ｘ：１１２，ｙ：８４）から始まる場合（例えば、解像度８００×６００の場合）は、部品Ａについての座標位置は、（ｘ：５０＋１１２，ｙ：５０＋８４）＝（ｘ：１６２，ｙ：１３４）となる。
【００６３】
次いで、ＯＳＤ作成部３０１は、投影部３０３へメニュー画像を送り（Ｓ１０９：ＯＳＤ表示）、投影部３０３は、メニュー画像の映像信号を光学制御部２０５へ送り、これを受けた光学制御部２０５は映像信号を投影する（Ｓ１１０：映像投影）。以上の制御により、映像供給装置１２０の映像が投射された被投射面に、該映像の画像領域に対応したＯＳＤ画面を投射することができる。座標位置の調整について以下に説明する。
【００６４】
［画像領域変更時のＯＳＤ画面表示］
次に、ＯＳＤ画面（メニュー画面を例とする）の表示時おいて画像領域の変更がされた際の処理について説明する。
【００６５】
先ず、映像供給装置１２０から、解像度の変更等の指示がなされ、映像信号が変更されると、映像信号処理部２０２は、映像供給装置１２０の映像信号を受信する（Ｓ２０１：映像信号変更）。
【００６６】
映像信号処理部２０２は、メイン制御部３００に映像信号を渡す（Ｓ２０２：入力信報変更）。これを受けたメイン制御部３００は、信号制御部３０４に信号判定を指示する（Ｓ２０３：信号判定）。
【００６７】
信号制御部３０４では、変更された映像信号を判定し、変更後の映像信号の解像度に対応した投影領域を決定する（Ｓ２０４：信号判定・投影領域決定（信号制御処理））。
【００６８】
次いで、メイン制御部３００は、ＯＳＤ作成部３０１にメニュー画面の表示位置の調整を指示する（Ｓ２０５：メニュー位置調整）。これを受けたＯＳＤ作成部３０１は、メイン制御部３００から投影領域を取得する（Ｓ２０６：投影領域取得）。
【００６９】
次いで、ＯＳＤ作成部３０１は、メニュー画面の座標を調整し（Ｓ２０７：ＯＳＤ座標調整）、投影部３０３へメニュー画像を送る（Ｓ２０８：ＯＳＤ表示）。Ｓ２０７およびＳ２０８について後述する。
【００７０】
これを受けたメイン制御部３００は投影部３０３に映像投影を指示し（Ｓ２０９：映像投影）、投影部３０３は、メニュー画像の映像信号を光学制御部２０５へ送り、これを受けた光学制御部２０５は映像信号を投影する（Ｓ２１０：映像投影）。以上の制御により、解像度の変更等が指示され投射画像の画像領域が変動する場合においても変動後の画像領域に適した座標位置に調整されたメニュー画面の表示が可能となる。
【００７１】
［画像領域変更時のＯＳＤ画面の座標調整］
図５に示すフローチャートは、図４のシーケンス図におけるＳ２０５〜Ｓ２０８（重畳画像投射処理）の詳細を示すフローチャートである。画像領域変更時におけるＯＳＤ画面の座標調整について、図５のフローチャートを参照して説明する。また、図６〜図８は、ＯＳＤ画面を構成する各部品の座標等を示す部品情報テーブルである。
【００７２】
図６は、投影可能最大解像度が１０２４×７６８であって、画像領域の始点（左上端）が（ｘ：０，ｙ：０）、画像領域の終点（右下端）が（ｘ：１０２４，ｙ：７６８）の場合の部品情報テーブルを示している。なお、部品情報テーブルは、ＯＳＤ作成部３０１が保持している。
【００７３】
部品情報テーブルは、ＯＳＤ画面を構成する各部品（部品Ｎｏ．１〜２５）について、座標（始点）、割り当てられた部品名（選択肢ａ〜ｙ）、選択肢である場合における選択状態の有無を示す情報（選択情報という）のフィールドを有し、各情報を有している。
【００７４】
また、図９（Ａ）は、解像度が１０２４×７６８の投射画像の左上にメニュー画面がＯＳＤ表示されており、選択肢ｔが選択されてハイライト表示されている状態を示している。この状態では、部品情報テーブルは、図６に示されるように、選択肢ｔは部品Ｎｏ．２０に該当するため、その選択状態が○となっている。
【００７５】
この状態からメニュー位置調整指示を受けると（Ｓ３０１（Ｓ２０５））、新しい画像領域をメイン制御部３００から取得する（Ｓ３０２（Ｓ２０６））。新しい画像領域（解像度８００×６００）の始点は、（ｘ：１１２，ｙ：８４）、画像領域の終点は（ｘ：９１２，ｙ：６８４）である。
【００７６】
図７は、投影可能最大解像度が８００×６００であって、画像領域の始点が（ｘ：１１２，ｙ：８４）、画像領域の終点が（ｘ：９１２，ｙ：６８４）の場合の部品情報テーブルを示している。
【００７７】
ＯＳＤ作成部３０１は、変更後の画像領域での各部品の新しい座標を計算する（Ｓ３０３）。ここで変更後の各部品の座標は、図６に示した各部品の座標に、始点の座標の値を加えて算出することができる。例えば、部品Ｎｏ．１（選択肢ａ）の座標は（ｘ：５０＋１１２，ｙ：５０＋８４）＝（ｘ：１６２,ｙ：１３４）であり、部品Ｎｏ．２（選択肢ｂ）の座標は（ｘ：９０＋１１２，ｙ：５０＋８４）＝（ｘ：２０２,ｙ：１３４）となる。
【００７８】
ここで、変更前の画像領域で選択状態が○の部品がある場合、すなわち、選択されている選択肢がある場合（Ｓ３０４：ＹＥＳ）は、選択肢の座標調整処理（Ｓ３０５〜Ｓ３１３）を行う。選択肢が選択されていない場合（Ｓ３０４：ＮＯ）は、図７に示した部品情報テーブルに基づいてＯＳＤ画面が表示される（Ｓ３１４）。
【００７９】
選択肢の座標調整処理について詳説する。先ず、選択状態が○の部品の旧座標（図６）と各部品の新座標（図７）の差分を全て計算する（Ｓ３０５〜Ｓ３１０）。差分の計算では、ｘ座標、ｙ座標それぞれ差分を出し、その２つの絶対値を加算した値を「差分値」とする。その差分値の内、一番小さい差分値を「最低差分値」とする。
【００８０】
例えば、図６に示す選択状態が○の部品（部品Ｎｏ．２０、選択肢ｔ）の旧座標（ｘ：２１０，ｙ：１７０）と、図７に示す各部品の新座標との差分値を求める。
部品Ｎｏ．１では、
（ｘ：２１０−１６２,ｙ：１７０−１３４）＝（ｘ：４８，ｙ：４４）
であるので、「差分値」は、｜４８｜＋｜４４｜＝９２
で表される。
【００８１】
同様に、部品Ｎｏ．２では、
（ｘ：２１０−２０２,ｙ：１７０−１３４）＝（ｘ：８，ｙ：４４）
であるので、「差分値」は、｜８｜＋｜４４｜＝５２
となる。
【００８２】
以下、同様に「差分値」を求めていく。例えば、部品Ｎｏ．７では、
（ｘ：２１０−２０２,ｙ：１７０−１７４）＝（ｘ：８，ｙ：−４）
であるので、「差分値」は、｜８｜＋｜−４｜＝１２
となる。
【００８３】
最後、部品Ｎｏ．２５では、
（ｘ：２１０−３２２,ｙ：１７０−２９４）＝（ｘ：−１１２，ｙ：−１２４）
であるので、「差分値」は、｜−１１２｜＋｜−１２４｜＝２３６
となる。
【００８４】
図６，図７に示す例では、「最低差分値」は、部品Ｎｏ．７の１２となる。
【００８５】
次に、算出した「最低差分値」が所定の閾値（例えば、１００）以下であるかを判断することが好ましい（Ｓ３１１）。このステップは、各選択肢の中で差分値が一番小さいものであっても新座標が離れた位置の場合（Ｓ３１１：ＮＯ）は、移動量が多くなってしまい、操作者が選択した位置を見失わないようにするという目的に適合しないため、選択肢の座標調整は実行しないものである。なお、この閾値は、ＯＳＤ画面のデザインにより最適な値が予め設定されるものであればよい。また、操作者に任意に設定可能な値とすることも好ましい。
【００８６】
「最低差分値」が所定の閾値以下である場合（Ｓ３１１：ＹＥＳ）は、図９（Ｂ）に示すように、最低差分値を持つ部品（部品Ｎｏ．７）に、選択状態である選択肢（選択肢ｔ）を割り当てる（Ｓ３１２）。
【００８７】
また、他の選択肢については、図９（Ａ）に示した左上からの順番（選択肢ａ〜ｙ）を崩さないように、並び替えて表示させることが好ましい（Ｓ３１３）。すなわち、図８に示すように、部品Ｎｏ．７に選択肢tを割り当てて、次の部品Ｎｏ．８には選択肢ｕを割り当て、というように順番に部品Ｎｏ．２５に選択肢ｍを割り当てる。その後、左上に戻り、部品Ｎｏ．１には、次の選択肢ｎを割り当てて、部品Ｎｏ．６には選択肢ｓを割り当てて、図９（Ｂ）に示すように、選択肢の座標調整処理が終了する。このように選択肢の順番を維持することで、操作者が戸惑うことがないようにしている。
【００８８】
その後、図８に示した選択肢の座標調整処理後の部品情報テーブルに基づいて、ＯＳＤ画面が表示される（Ｓ３１４）。
【００８９】
以上説明したように、本実施形態に係る画像投射装置は、画像投射装置の投射領域が変動し、ＯＳＤ画面の投射位置が変動する場合においても、ＯＳＤ画面上で選択された箇所の位置が変動することを抑えて、投射領域の変動後においても操作者が選択した位置を見失うことなく判別することを可能としている。
【００９０】
例えば、操作者がメニュー画面である選択肢を選択し、ハイライト表示がされている場合に、画像領域が変更になり、メニュー画面の表示位置が変わっても、選択されている選択肢の位置が変更前の位置に近い位置に表示されるので、操作者が選択中の選択肢を見失うことがないようにしている。
【００９１】
なお、上記実施形態では、選択肢の座標調整に際し、最も移動量が少なくなる位置に調整するようにしたが、これに限られるものではなく、操作者にとって認識しやすい調整がなされるものであればよい。例えば、図９（Ａ）に示したように選択肢ｔが選択されている場合に、画像領域が変動した際、選択肢ｔが存在するメニューの選択肢の行（選択肢ｐ，ｑ，ｒ，ｓ，ｔ）の並びはそのまま（すなわち、ｘ軸はそのまま）として、ｙ軸の調整だけを行うようにしてもよい（行単位での並び替え）。また、逆に、メニューの選択肢の列（選択肢ｅ，ｊ，ｏ，ｔ，ｙ）の並びはそのまま（すなわち、ｙ軸はそのまま）として、ｘ軸の調整だけを行うようにしてもよい（列単位での並び替え）。
【００９２】
また、上記実施形態では、変更前後の選択肢の位置の移動量の算出方法として、変更前後の座標の「差分値」、「最低差分値」に基づいて、割り当てる選択肢の位置を決定したが、移動量の算出方法は、上記の例に限られるものではない。
【００９３】
また、上記実施形態では、メニュー画面にボタン上の選択肢ａ〜ｙが配列される例（図９）について説明したが、メニュー画面がバー表示の場合は、選択されているバーの移動量が最も少なくなるように調整するものであればよい。
【００９４】
また、上記実施形態では、選択肢の順番は崩さないように、並び替えて表示させる処理（Ｓ３１３）を実行しているが、これに限られるものではなく、指定されたもののみ入れ替えるようにしても良い。例えば、上記の例では、選択されている選択肢ｔと変更後に最も近い選択肢ｇのみを入れ替えるようにし、他の選択肢については、そのまま表示するものであっても良い。
【００９５】
また、上述した画像領域変更時のＯＳＤ画面の座標調整処理の実行のオンオフは、画像投射装置１１０に設定可能とすることも好ましい。
【００９６】
尚、上述の実施形態は本発明の好適な実施の例ではあるがこれに限定されるものではなく、本発明の要旨を逸脱しない範囲において種々変形実施可能である。例えば、システム制御部２０１の上記各部３００〜３０４は、例えば、ＣＰＵで実行されるソフトウェア（制御プログラム）を画像投射装置で実行させることで構成できる。
【符号の説明】
【００９７】
１００  画像投射システム
１１０  画像投射装置
１２０  映像供給装置
１３０  ケーブル
１４０  遠隔操作装置（リモコン）
２００  メインボード
２０１  システム制御部
２０２  映像信号処理部
２０３  電源制御部
２０４  記憶部
２０５  光学制御部
２１０  ネットワークボード（拡張ボード）
２１１  ネットワークシステム制御部
２１２  ネットワークインタフェース
２１３  記憶装置インタフェース
２１４  記憶部
２２０  光学部
２２１  ランプ（光源）
２２２  ランプ制御部（光源制御部）
２２３  温度センサ
２２４  加速度センサ
２２５  表示装置
２２６  操作部
２２７  受信部
２２８  電源
２２９  冷却装置
２３０  映像信号入力インタフェース
２３１  ネットワーク
２３２  記憶装置
３００  メイン制御部
３０１  ＯＳＤ作成部
３０２  本体キー・リモコン制御部
３０３  投影部
３０４  信号制御部
【先行技術文献】
【特許文献】
【００９８】
【特許文献１】特開２００５−３２３３８９号公報
【図１】
2015019195.tif 000003
【図３】
2015019195.tif 000004
【図４】
2015019195.tif 000005
【図２】
2015019195.tif 000006
【図５】
2015019195.tif 000007
【図６】
2015019195.tif 000008
【図７】
2015019195.tif 000009
【図８】
2015019195.tif 000010
【図９】
2015019195.tif 000011
【図１０】
2015019195.tif 000012
【図１１】
2015019195.tif 000013